(57)【要約】【課題】太陽電池モジュールの脱落を防止することが可能な支持具、当該支持具を備える太陽電池モジュールの取付ユニット、および当該取付ユニットを組み立てる太陽電池モジュールの取付方法を提供する。【解決手段】支持具３１は、陸屋根の上面２上に固定される第１被固定部４１と、第１モジュール係止具２１を取付可能であって、第１載置部６２が載置される第１傾斜面５４を有する第１被取付部４２と、を備えている。第１傾斜面５４には、第１締結部材６１の挿通を許容する長穴であって、第１傾斜面５４における上面２からの距離が異なる複数の位置の間での第１締結部材６１の移動を許容する第１長穴５５が形成されている。支持具３１は、第１長穴５５が延びる方向の一方側に向かって第１締結部材６１を付勢する付勢機構８０を備えている。【選択図】図５
2019085702.tif 000002
【特許請求の範囲】
【請求項１】
所定の第１面に載置可能な載置部と、前記載置部上に設けられるとともに太陽電池モジュールの縁部に係止可能な係止部と、を有するモジュール係止具を、前記第１面の勾配と異なる勾配を有する所定の第２面で支持するための支持具であって、
前記第２面上に固定される第１被固定部と、
前記第１被固定部上に設けられるとともに前記モジュール係止具を取付可能な第１被取付部であって、前記第２面に対して傾斜するとともに前記載置部が載置される第１傾斜面を有する前記第１被取付部と、を備え、
前記第１傾斜面には、前記モジュール係止具を前記第１被取付部に固定するための締結部材の挿通を許容する長穴であって、前記第１傾斜面における前記第２面からの距離が異なる複数の位置の間での前記締結部材の移動を許容する前記長穴が形成されており、
前記長穴が延びる方向の一方側に向かって前記締結部材を付勢する付勢機構をさらに備えることを特徴とする、支持具。
【請求項２】
前記付勢機構は、前記第１傾斜面に沿って上側から下側に向かって前記締結部材を付勢することを特徴とする、請求項１に記載の支持具。
【請求項３】
前記付勢機構は、前記第１被取付部に対して取付可能な螺子と、前記第１被取付部に形成されるとともに前記螺子を挿通可能な螺子穴と、を含むことを特徴とする、請求項１または２に記載の支持具。
【請求項４】
前記第１被取付部は、前記第１傾斜面を含む被載置部と、前記第１傾斜面に取り付けられる前記モジュール係止具に対向するように前記被載置部から立ち上がる立設部と、を有しており、
前記螺子穴は、前記立設部に設けられていることを特徴とする、請求項３に記載の支持具。
【請求項５】
前記第１被取付部は、前記第１傾斜面の高さを調整可能となるように、前記第１被固定部に取り付けられていることを特徴とする、請求項１〜４のいずれか１項に記載の支持具。
【請求項６】
請求項１〜５のいずれか１項に記載の支持具である第１支持具と、
前記第１被固定部から離れた位置で前記第２面上に固定される第２被固定部と、前記第２被固定部上に設けられるとともに前記モジュール係止具を取付可能な第２被取付部であって、前記第２面に対して傾斜するとともに前記載置部が載置される第２傾斜面を有する第２被取付部と、を有する第２支持具と、
前記第１被取付部および前記第２被取付部にそれぞれ取り付けられるとともに、前記太陽電池モジュールを両側から挟む一対の前記モジュール係止具と、
前記一対のモジュール係止具を前記第１被取付部および前記第２被取付部にそれぞれ固定するための一対の締結部材と、
前記一対のモジュール係止具がそれぞれ係止される一対の縁部を有する前記太陽電池モジュールと、を備え、
前記第１支持具の前記付勢機構は、前記一対の締結部材のうち前記第１傾斜面に形成された前記長穴に挿通された前記締結部材を、前記長穴が延びる方向において前記太陽電池モジュールに向かって付勢することを特徴とする、太陽電池モジュールの取付ユニット。
【請求項７】
請求項６に記載の太陽電池モジュールの取付ユニットを組み立てる方法であって、
前記第１支持具を前記第２面上に固定する第１固定ステップと、
前記第２支持具を前記第１支持具から離れた位置で前記第２面上に固定する第２固定ステップと、
前記一対のモジュール係止具を前記一対の締結部材によって前記第１被取付部および前記第２被取付部のそれぞれに固定する第３固定ステップと、
前記太陽電池モジュールの前記一対の縁部に前記一対のモジュール係止具をそれぞれ係止することにより、前記一対のモジュール係止具によって前記太陽電池モジュールを両側から挟むように固定する係止ステップと、
前記第１支持具の前記付勢機構によって、前記第１傾斜面に形成された前記長穴に挿通された前記締結部材を、前記長穴が延びる方向において前記太陽電池モジュールに向かって付勢する付勢ステップと、を備えることを特徴とする、太陽電池モジュールの取付方法。
【発明の詳細な説明】
【技術分野】
【０００１】
本発明は、支持具、太陽電池モジュールの取付ユニットおよび太陽電池モジュールの取付方法に関する。
【背景技術】
【０００２】
従来、特許文献１および特許文献２に開示されるように、屋根上に太陽電池モジュールを取り付けるための取付ユニットについて知られている。この取付ユニットは、太陽電池モジュールと、この太陽電池モジュールを両側から挟んだ状態でその両縁部に係止される一対のモジュール係止具と、このモジュール係止具を屋根上で支持するための一対の支持具と、を備えるものである。特許文献１に開示されるモジュール係止具は、太陽電池モジュールに係止可能な鉤部材と、この鉤部材が載置される軌道部材と、を有している。鉤部材は、軌道部材上に沿って移動可能とされている。また特許文献２に開示されるモジュール係止具は、太陽電池モジュールの縁部に係止される鉤部を有する横桟からなり、支持金具により屋根上で支持されている。この支持金具には、長手方向に沿って開口溝が形成されており、横桟を当該開口溝に沿って移動させることができる。
【先行技術文献】
【特許文献】
【０００３】
【特許文献１】特開２０１１−９９２５６号公報
【特許文献２】特許第５９６３４６３号公報
【発明の概要】
【発明が解決しようとする課題】
【０００４】
特許文献１に開示される太陽電池モジュールの取付ユニットでは、鉤部材を軌道部材上において移動させることにより、当該鉤部材の位置を太陽電池モジュールに対して係止し易いように調整することができる。このため、支持具を屋根上に配置する際に位置ずれが生じたとしても、鉤部材の位置を調整することによって当該位置ずれを吸収することが可能である。
【０００５】
しかし、太陽電池モジュールに対して積雪荷重や風荷重などが加わり、これによって鉤部材が太陽電池モジュールから離れる向きに押されることがある。この場合、鉤部材が太陽電池モジュールから離れるように軌道部材に沿って移動し、鉤部材が太陽電池モジュールから外れることにより、太陽電池モジュールが脱落する虞がある。また特許文献２に開示される太陽電池モジュールの取付ユニットにおいても、同様の理由で横桟が太陽電池モジュールから離れるように支持金具の開口溝に沿って移動する懸念があり、特許文献１と同様に太陽電池モジュールの脱落についての課題がある。
【０００６】
本発明は、上記課題に鑑みてなされたものであって、その目的は、太陽電池モジュールの脱落を防止することが可能な支持具、当該支持具を備える太陽電池モジュールの取付ユニット、および当該取付ユニットを組み立てる太陽電池モジュールの取付方法を提供することである。
【課題を解決するための手段】
【０００７】
本発明の一局面に係る支持具は、所定の第１面に載置可能な載置部と、前記載置部上に設けられるとともに太陽電池モジュールの縁部に係止可能な係止部と、を有するモジュール係止具を、前記第１面の勾配と異なる勾配を有する所定の第２面で支持するための支持具である。この支持具は、前記第２面上に固定される第１被固定部と、前記第１被固定部上に設けられるとともに前記モジュール係止具を取付可能な第１被取付部であって、前記第２面に対して傾斜するとともに前記載置部が載置される第１傾斜面を有する前記第１被取付部と、を備えている。前記第１傾斜面には、前記モジュール係止具を前記第１被取付部に固定するための締結部材の挿通を許容する長穴であって、前記第１傾斜面における前記第２面からの距離が異なる複数の位置の間での前記締結部材の移動を許容する前記長穴が形成されている。またこの支持具は、前記長穴が延びる方向の一方側に向かって前記締結部材を付勢する付勢機構をさらに備えている。
【０００８】
この支持具においては、第１被取付部の第１傾斜面に長穴が形成されており、この長穴に締結部材を挿通するとともに当該長穴において締結部材を移動させることができる。このため、第１被固定部を第２面上に固定する際に施工誤差が生じたとしても、長穴において締結部材を移動させることによって第１被取付部に対するモジュール係止具の取付位置を調整することができる。これにより、上記施工誤差を吸収することができる。
【０００９】
しかも、第１被取付部に対するモジュール係止具の取付位置を固定した後、付勢機構によって締結部材を長穴が延びる方向の一方側に向かって付勢することができる。これにより、太陽電池モジュールが当該一方側に係止される場合に、太陽電池モジュールに積雪荷重や風荷重などが加わっても、締結部材が長穴に沿って移動し、それによってモジュール係止具が太陽電池モジュールから離れる方向に移動するのを規制することができる。したがって、モジュール係止具の係止部が太陽電池モジュールの縁部から外れて太陽電池モジュールが脱落するのを防止することができる。
【００１０】
上記支持具において、前記付勢機構は、前記第１傾斜面に沿って上側から下側に向かって前記締結部材を付勢するように構成されていてもよい。
【００１１】
この構成によれば、モジュール係止具が第１傾斜面に沿って上側に移動するのを、重力を利用して効果的に規制することができる。
【００１２】
上記支持具において、前記付勢機構は、前記第１被取付部に対して取付可能な螺子と、前記第１被取付部に形成されるとともに前記螺子を挿通可能な螺子穴と、を含んでいてもよい。
【００１３】
この構成によれば、螺子を螺子穴に挿通するだけで締結部材を簡単に付勢することができる。
【００１４】
上記支持具において、前記第１被取付部は、前記第１傾斜面を含む被載置部と、前記第１傾斜面に取り付けられる前記モジュール係止具に対向するように前記被載置部から立ち上がる立設部と、を有していてもよい。前記螺子穴は、前記立設部に設けられていてもよい。
【００１５】
この構成によれば、モジュール係止具が第１傾斜面に取り付けられた状態で螺子を螺子穴に挿通することにより、当該螺子を用いてモジュール係止具を押すことによって締結部材を付勢することができる。このため、螺子によって締結部材を直接押す場合に比べて、締結部材を付勢するための施工がより簡単になる。
【００１６】
上記支持具において、前記第１被取付部は、前記第１傾斜面の高さを調整可能となるように、前記第１被固定部に取り付けられていてもよい。
【００１７】
この構成によれば、モジュール係止具を第１被取付部に取り付けた時の高さ位置（第２面からの距離）を適宜調整することが可能になる。
【００１８】
本発明の他の局面に係る太陽電池モジュールの取付ユニットは、上記本発明に係る支持具である第１支持具と、前記第１被固定部から離れた位置で前記第２面上に固定される第２被固定部と、前記第２被固定部上に設けられるとともに前記モジュール係止具を取付可能な第２被取付部であって、前記第２面に対して傾斜するとともに前記載置部が載置される第２傾斜面を有する第２被取付部と、を有する第２支持具と、前記第１被取付部および前記第２被取付部にそれぞれ取り付けられるとともに、前記太陽電池モジュールを両側から挟む一対の前記モジュール係止具と、前記一対のモジュール係止具を前記第１被取付部および前記第２被取付部にそれぞれ固定するための一対の締結部材と、前記一対のモジュール係止具がそれぞれ係止される一対の縁部を有する前記太陽電池モジュールと、を備えている。前記第１支持具の前記付勢機構は、前記一対の締結部材のうち前記第１傾斜面に形成された前記長穴に挿通された前記締結部材を、前記長穴が延びる方向において前記太陽電池モジュールに向かって付勢する。
【００１９】
この太陽電池モジュールの取付ユニットは、上記本発明の支持具である第１支持具を備えており、この第１支持具の付勢機構によって、締結部材を長穴が延びる方向における太陽電池モジュールに向かって付勢することができる。これにより、太陽電池モジュールに積雪荷重や風荷重などが加わっても、締結部材が長穴に沿って移動し、それによってモジュール係止具が太陽電池モジュールから離れる方向に移動するのを規制することができる。したがって、モジュール係止具の係止部が太陽電池モジュールの縁部から外れて太陽電池モジュールが脱落するのを防止することができる。
【００２０】
本発明のさらに他の局面に係る太陽電池モジュールの取付方法は、上記太陽電池モジュールの取付ユニットを組み立てる方法であって、前記第１支持具を前記第２面上に固定する第１固定ステップと、前記第２支持具を前記第１支持具から離れた位置で前記第２面上に固定する第２固定ステップと、前記一対のモジュール係止具を前記一対の締結部材によって前記第１被取付部および前記第２被取付部のそれぞれに固定する第３固定ステップと、前記太陽電池モジュールの前記一対の縁部に前記一対のモジュール係止具をそれぞれ係止することにより、前記一対のモジュール係止具によって前記太陽電池モジュールを両側から挟むように固定する係止ステップと、前記第１支持具の前記付勢機構によって、前記第１傾斜面に形成された前記長穴に挿通された前記締結部材を、前記長穴が延びる方向において前記太陽電池モジュールに向かって付勢する付勢ステップと、を備えている。
【００２１】
この方法によれば、付勢機構によって締結部材を長穴が延びる方向において太陽電池モジュールに向かって付勢することができる。これにより、太陽電池モジュールに積雪荷重や風荷重などが加わった場合でも、締結部材が長穴に沿って移動し、それによってモジュール係止具が太陽電池モジュールから離れる方向に移動するのを規制することができる。したがって、モジュール係止具が太陽電池モジュールの縁部から外れて太陽電池モジュールが脱落するのを防止することができる。
【発明の効果】
【００２２】
以上の説明から明らかなように、本発明によれば、太陽電池モジュールの脱落を防止することが可能な支持具、当該支持具を備える太陽電池モジュールの取付ユニット、および当該取付ユニットを組み立てる太陽電池モジュールの取付方法を提供することができる。
【図面の簡単な説明】
【００２３】
【図１】本発明の実施形態１に係る太陽電池モジュールの取付ユニットの構成を模式的に示す平面図である。
【図２】図１中の領域ＩＩにおける拡大図である。
【図３】図２中の矢印ＩＩＩに示す方向から見たときの上記取付ユニットを模式的に示す側面図である。
【図４】太陽電池モジュールが勾配屋根の上面に設置される様子を示す模式図である。
【図５】図３中の領域Ｖの拡大図である。
【図６】第１被取付部の底面図である。
【図７】第１傾斜面に垂直な方向から見た第１傾斜部の平面図である。
【図８】図５中の矢印ＶＩＩＩに示す方向から見た第１被取付部の側面図である。
【図９】被取付部に対するモジュール係止具の取り付けを説明するための模式図である。
【図１０】図３中の領域Ｘの拡大図である。
【図１１】第２被取付部の底面図である。
【図１２】第２傾斜面に垂直な方向から見た第２傾斜部の平面図である。
【図１３】支持具が陸屋根の上面に固定された様子を示す図である。
【図１４】モジュール係止具が支持具に載置された様子を示す図である。
【図１５】モジュール係止具を太陽電池モジュールの縁部に係止する手順を説明するための図である。
【図１６】太陽電池モジュールの第２縁部にモジュール係止具が係止した様子を示す図である。
【図１７】太陽電池モジュールの両縁部にモジュール係止具が係止した様子を示す図である。
【図１８】締結部材を太陽電池モジュールに向かって付勢する手順を説明するための図である。
【図１９】本発明の実施形態２に係る支持具の構成を説明するための模式図である。
【発明を実施するための形態】
【００２４】
以下、図面に基づいて、本発明の実施形態に係る支持具、太陽電池モジュールの取付ユニットおよび太陽電池モジュールの取付方法について詳細に説明する。
【００２５】
（実施形態１）
まず、本発明の実施形態１に係る支持具および当該支持具を備えた太陽電池モジュールの取付ユニットの構成について説明する。実施形態１に係る太陽電池モジュールの取付ユニット１（以下、単に「取付ユニット１」とも称する）は、例えば、陸屋根の上面２（第２面）に太陽電池モジュール１０を設置するためのものである。
【００２６】
図１は、陸屋根の上面２の平面図である。図１に示すように、陸屋根の上面２には、複数（本実施形態では１２個）の取付ユニット１が、水平方向に互いに隣接して配置されている。各取付ユニット１は、複数枚（２枚または３枚）の太陽電池モジュール１０を備えている。各太陽電池モジュール１０は、例えば、単結晶シリコン型のモジュールであってもよいし、多結晶シリコン型のモジュールであってもよい。なお、各取付ユニット１は、複数枚の太陽電池モジュール１０を備えるものに限定されず、１枚の太陽電池モジュール１０のみを備えるものであってもよい。
【００２７】
各太陽電池モジュール１０は、太陽光を受ける受光面１０Ａを有し、この受光面１０Ａが水平面に対して所定の角度で傾斜する姿勢で配置されている。具体的には、各太陽電池モジュール１０は、南向きに下り勾配となるように傾斜している。図１中においては、各太陽電池モジュール１０の傾斜に沿った方向が矢印で示されている。
【００２８】
図２は、図１中の領域ＩＩに配置された一つの取付ユニット１を示している。図３は、図２中の矢印ＩＩＩに示す方向から側面視したときの取付ユニット１を示している。
【００２９】
図３に示すように、陸屋根は、ＡＬＣパネル５と、このＡＬＣパネル５上に位置する勾配断熱材６と、この勾配断熱材６を覆う防水シート７と、を備えている。この防水シート７の表面が陸屋根の上面２に相当する。図２および図３に示すように、取付ユニット１は、一対の縁部（第１縁部１１および第２縁部１２）を有する太陽電池モジュール１０と、当該一対の縁部に係止される一対のモジュール係止具（第１モジュール係止具２１および第２モジュール係止具２２）と、当該一対のモジュール係止具を陸屋根の上面２で支持するための一対の支持具（第１支持具３１および第２支持具３２）と、当該一対のモジュール係止具を支持具に固定するための一対の締結部材（第１締結部材６１および第２締結部材６６）と、を主に備えている。第１支持具３１は、本発明の支持具の一例である。
【００３０】
本明細書では、南北方向を「第１方向Ｄ１」と称し、この第１方向Ｄ１に直交する方向を「第２方向Ｄ２」と称する。図２に示すように、第１および第２モジュール係止具２１，２２は、太陽電池モジュール１０の第１および第２縁部１１，１２に沿って第２方向Ｄ２に延びるレール状に形成されている。第１および第２支持具３１，３２は、複数（本実施形態では３つずつ）設けられており、第２方向Ｄ２において互いに間隔を空けて直線状に並べられている。すなわち、第１および第２モジュール係止具２１，２２は、第２方向Ｄ２における複数箇所（本実施形態では３箇所）で支持されている。
【００３１】
図４に示すように、第１および第２モジュール係止具２１，２２は、太陽電池モジュール１０を勾配屋根の上面２Ａ（第１面）に平行となるように取り付けるための金具である。このため、第１モジュール係止具２１は、勾配屋根の上面２Ａに載置可能な第１載置部６２と、この第１載置部６２上に設けられるとともに太陽電池モジュール１０の第１縁部１１に係止可能な第１係止部６３と、を有している。また第２モジュール係止具２２は、勾配屋根の上面２Ａに載置可能な第２載置部６４と、この第２載置部６４上に設けられるとともに太陽電池モジュール１０の第２縁部１２に係止可能な第２係止部６５と、を有している。
【００３２】
本実施形態の取付ユニット１では、第１および第２支持具３１，３２を用いることにより、上述の通り勾配屋根の上面２Ａへの太陽電池モジュール１０の取付用に設計された第１および第２モジュール係止具２１，２２を、陸屋根の上面２で支持することができる。これにより、水平面である陸屋根の上面２においても、勾配屋根の上面２Ａに取り付ける場合と同様に、太陽電池モジュール１０を傾斜した姿勢で取り付けることが可能になる。以下、この取付ユニット１の各構成要素について詳細に説明する。
【００３３】
図５は、図３中の領域Ｖの拡大図である。図５に示すように、第１支持具３１は、陸屋根の上面２上に固定される第１被固定部４１と、この第１被固定部４１上に設けられるとともに第１モジュール係止具２１を取付可能な第１被取付部４２と、を主に有している。
【００３４】
第１被固定部４１は、平面視で円板形状を有する第１アンカーディスク４３と、この第１アンカーディスク４３の円中心から垂直に立設された第１アンカーボルト４４と、を有する。第１アンカーディスク４３は、複数のビス３（図３参照）により陸屋根の上面２に固定されている。
【００３５】
図５に示すように、第１アンカーボルト４４には、水密用ナット４５と、二つの固定用ナット４６と、１枚のワッシャ４７と、１枚のバネワッシャ４８と、がそれぞれ嵌められている。水密用ナット４５は、アンカー施工箇所での水密性を確保するためのものであり、第１アンカーボルト４４の根元（第１アンカーディスク４３との接続部）まで締め付けられている。水密用ナット４５の緩みを防ぐため、水密用ナット４５と固定用ナット４６との間にナットガード（図示しない）がさらに配置されてもよい。
【００３６】
第１被取付部４２は、第１アンカーボルト４４に固定される第１ボルト固定部５１と、陸屋根の上面２に対して傾斜するとともに第１モジュール係止具２１の第１載置部６２が載置される第１傾斜面５４を含む第１傾斜部５３と、第１ボルト固定部５１と第１傾斜部５３とを接続する第１柱脚部５２と、を有している。第１被取付部４２は、第１ボルト固定部５１、第１傾斜部５３および第１柱脚部５２が一体に形成された金具であって、一枚の金属板を折り曲げることにより形成されている。
【００３７】
図６は、第１被取付部４２の底面図である。図７は、第１傾斜面５４と垂直な方向から見たときの第１傾斜部５３の平面図である。図８は、図５中の矢印ＶＩＩＩに示す方向から見た第１被取付部４２の側面図である。
【００３８】
図６に示すように、第１ボルト固定部５１は、平面視で略矩形状の板体からなり、第１アンカーボルト４４が挿通される第１ボルト穴５１Ａが中央近傍に形成されている。第１アンカーボルト４４を第１ボルト穴５１Ａに挿通し、二つの固定用ナット４６によって第１ボルト固定部５１を挟んで締め込むことにより、第１被取付部４２（第１ボルト固定部５１）を第１被固定部４１（第１アンカーボルト４４）に取り付けることができる。ここで、下側の固定用ナット４６の高さ位置を変えることにより、第１傾斜面５４の高さ（陸屋根の上面２から第１傾斜面５４までの距離）を調整することができる。
【００３９】
第１傾斜部５３は、一枚の金属板の両端を垂直に折り曲げることにより形成されており、第１ボルト固定部５１に対向している。図５に示すように、第１傾斜部５３は、第１傾斜面５４を含む第１被載置部５６と、第１方向Ｄ１における第１被載置部５６の両端から第１傾斜面５４に対して垂直に立ち上がる一対の立設部（上側立設部５７および下側立設部５８）と、を有している。これらの立設部は、第１傾斜面５４に取り付けられる第１モジュール係止具２１（第１載置部６２）の側面に対向する。
【００４０】
図７に示すように、第１傾斜面５４には、第１締結部材６１の挿通を許容する第１長穴５５が、第１傾斜面５４に沿って延びるように形成されている。第１締結部材６１は、例えばボルトによって構成されており、図５に示すように先端に第１ナット６１Ａが締め付けられる。これにより、第１モジュール係止具２１を第１被取付部４２（第１傾斜面５４）に固定することができる。
【００４１】
第１長穴５５は、第１傾斜面５４における陸屋根の上面２からの距離が異なる複数の位置の間での第１締結部材６１の移動を許容する。すなわち、第１長穴５５は、第１方向Ｄ１の幅Ｗ１が第１締結部材６１のボルト径よりも大きいため、第１ナット６１Ａを緩めた状態において第１締結部材６１を第１長穴５５に沿ってスライドさせることができる。
【００４２】
第１柱脚部５２は、平面視で略矩形状の金属板からなる。第１柱脚部５２は、第１ボルト固定部５１に対して垂直に延びており、第１ボルト固定部５１の一端と第１傾斜部５３（第１被載置部５６）の一端とを接続する。
【００４３】
図５に示すように、第１モジュール係止具２１は、第１載置部６２が第１傾斜面５４に載置された状態で、第１被取付部４２に取り付けられている。具体的には、図９に示すように、第１載置部６２の底部（第１傾斜面５４に当接する部位）には、第１締結部材６１の挿通を許容する挿通穴６２Ａが長手方向に沿って形成されている。この挿通穴６２Ａが第１長穴５５と重なるように第１載置部６２を第１傾斜面５４上に載置し、第１締結部材６１を挿通穴６２Ａおよび第１長穴５５にそれぞれ挿入し、第１締結部材６１の先端に第１ナット６１Ａを締め付けることによって、第１モジュール係止具２１を第１傾斜面５４に固定することができる。
【００４４】
図５に示すように、第１係止部６３は、第１載置部６２の上面から垂直に立ち上がる部分と、この部分の先端から太陽電池モジュール１０側に延びる第１爪部６３Ａと、を有する。この第１爪部６３Ａを、太陽電池モジュール１０の第１縁部１１に突設された第１突設部１１Ａに嵌合することにより、第１係止部６３が太陽電池モジュール１０の第１縁部１１に係止される。
【００４５】
第１支持具３１は、第１長穴５５が延びる方向の一方側に向かって第１締結部材６１を付勢する付勢機構８０を備えている。本実施形態における付勢機構８０は、第１被取付部４２に対して取付可能な螺子８１と、第１被取付部４２（上側立設部５７）に形成されるとともに螺子８１を挿通可能な螺子穴８２（図８参照）と、を含む。螺子穴８２は、第２方向Ｄ２における位置が第１長穴５５と同じである。
【００４６】
図５に示すように、螺子８１を螺子穴８２に挿通して当該螺子穴８２にねじ込むことにより、螺子８１の先端によって第１モジュール係止具２１（第１載置部６２）を第１長穴５５が延びる方向の一方側（太陽電池モジュール１０側）に押すことができる。これにより、第１締結部材６１を第１長穴５５が延びる方向の一方側（太陽電池モジュール１０側）に向かって付勢することができる。具体的には、第１締結部材６１を第１傾斜面５４に沿って上側から下側に向かって付勢することができる。これにより、第１締結部材６１が第１長穴５５に沿って太陽電池モジュール１０から離れる向きに移動するのを規制することができる。
【００４７】
図１０は、図３中の領域Ｘの拡大図である。図３および図１０に示すように、第２支持具３２は、第１被固定部４１から第１方向Ｄ１に離れた位置で陸屋根の上面２上に固定される第２被固定部９１と、この第２被固定部９１上に設けられるとともに第２モジュール係止具２２を取付可能な第２被取付部９２と、を有している。
【００４８】
第２被固定部９１は、第１被固定部４１と略同様の構成を有する。すなわち、第２被固定部９１は、円板状の第２アンカーディスク９３と、その中心から垂直に立設された第２アンカーボルト９４と、を有する。第２アンカーディスク９３は、第１アンカーディスク４３と同様に、複数のビス４（図３参照）により陸屋根の上面２に固定されている。また第２アンカーボルト９４には、水密用ナット９５と、２つの固定用ナット９６と、１枚のワッシャ９７と、１枚のバネワッシャ９８と、がそれぞれ嵌められている。
【００４９】
第２被取付部９２は、第２アンカーボルト９４に固定される第２ボルト固定部１０１と、第１傾斜面５４（図５参照）と略同じ角度で陸屋根の上面２に対して傾斜するとともに第２モジュール係止具２２の第２載置部６４が載置される第２傾斜面１０２を含む第２傾斜部１０３と、第２ボルト固定部１０１と第２傾斜部１０３とを接続する第２柱脚部１０４と、を有する。第２被取付部９２は、第１被取付部４２と同様に、一枚の金属板を折り曲げることにより形成されている。
【００５０】
図１１は、第２被取付部９２の底面図である。図１２は、第２傾斜面１０２と垂直な方向から見た第２傾斜部１０３の平面図である。
【００５１】
図１１に示すように、第２ボルト固定部１０１は、平面視で略矩形状の板体からなり、第２アンカーボルト９４が挿通される第２ボルト穴１０１Ａが中央近傍に形成されている。第２アンカーボルト９４を第２ボルト穴１０１Ａに挿通し、２つの固定用ナット９６によって第２ボルト固定部１０１を挟んで締め込むことにより、第２被取付部９２（第２ボルト固定部１０１）を第２被固定部９１（第２アンカーボルト９４）に取り付けることができる。このとき、第１支持具３１の場合と同様に、下側の固定用ナット９６の高さ位置を変えることによって、第２傾斜面１０２の高さ（陸屋根の上面２から第２傾斜面１０２までの距離）を調整することができる。
【００５２】
図１２に示すように、第２傾斜部１０３は、平面視で略矩形状の板体からなり、第２ボルト固定部１０１に対向している。第２傾斜面１０２には、第２締結部材６６の挿通を許容する第２長穴１０５が、第２傾斜面１０２に沿って延びるように形成されている。第２締結部材６６は、第１締結部材６１と同様にボルトなどによって構成されている。図１０に示すように、第２締結部材６６を第２モジュール係止具２２（第２載置部６４）および第２被取付部９２（第２傾斜部１０３）に貫通させ、その先端に第２ナット６２Ａを締め付けることにより、第２モジュール係止具２２を第２被取付部９２（第２傾斜面１０２）に固定することができる。
【００５３】
第２長穴１０５は、第１長穴５５と同様に、第２傾斜面１０２における陸屋根の上面２からの距離が異なる複数の位置の間での第２締結部材６６の移動を許容する。すなわち、第２長穴１０５は、延在方向の幅Ｗ２が第２締結部材６６のボルト径よりも大きいため、第２ナット６２Ａを緩めた状態で第２締結部材６６を第２長穴１０５に沿ってスライドさせることができる。
【００５４】
第２柱脚部１０４は、第１柱脚部５２と同様に、平面視で矩形状の金属板からなる。第２柱脚部１０４は、第２ボルト固定部１０１に対して垂直に延びており、第２ボルト固定部１０１の一端と第２傾斜部１０３の一端とを接続する。第２柱脚部１０４は、第１柱脚部５２よりも短くなっている。このため、図３に示すように、太陽電池モジュール１０は、第１支持具３１から第２支持具３２に向かって下向きに傾斜する姿勢となる。
【００５５】
第２モジュール係止具２２は、第１モジュール係止具２１と同様に構成されており、第２載置部６４が第２傾斜面１０２に載置された状態で第２被取付部９２に取り付けられている。具体的には、第２載置部６４の底部（第２傾斜面１０２に当接する部位）にも、第１載置部６２と同様に、第２締結部材６６の挿通を許容する挿通穴が形成されている。このため、当該挿通穴が第２長穴１０５と重なるように第２載置部６４を第２傾斜面１０２上に載置し、第２締結部材６６を当該挿通穴および第２長穴１０５にそれぞれ挿入し、第２締結部材６６の先端に第２ナット６２Ａを締め付けることによって、第２モジュール係止具２２を第２傾斜面１０２に固定することができる。
【００５６】
第２係止部６５は、第２載置部６４の上面から垂直に立ち上がる部分と、この部分の先端から太陽電池モジュール１０側に延びる第２爪部６５Ａと、を有する。この第２爪部６５Ａを、太陽電池モジュール１０の第２縁部１２に突設された第２突設部１２Ａに嵌合することにより、第２係止部６５が太陽電池モジュール１０の第２縁部１２に係止される。これにより、太陽電池モジュール１０は、一対のモジュール係止具によって第１および第２縁部１１，１２の両側から挟まれた状態となっている。
【００５７】
次に、本実施形態に係る太陽電池モジュールの取付方法について説明する。
【００５８】
まず、第１支持具３１を陸屋根の上面２上に固定する（第１固定ステップ）。このステップでは、まず、複数の第１被固定部４１を準備し、図１３に示すように、これらを第２方向Ｄ２に間隔を空けて直線状に並べる。そして、ビス３を第１アンカーディスク４３に貫通させるとともに、ＡＬＣパネル５まで到達するように打ち込む。これにより、第１被固定部４１が陸屋根の上面２に固定される。
【００５９】
続いて、第１被取付部４２を第１被固定部４１に取り付ける。図５を参照して、まず、上側の固定用ナット４６、ワッシャ４７およびバネワッシャ４８を第１アンカーボルト４４から取り外す。このとき、水密用ナット４５および下側の固定用ナット４６は、第１アンカーボルト４４に嵌め込んだままとする。
【００６０】
そして、第１ボルト固定部５１の第１ボルト穴５１Ａに第１アンカーボルト４４を挿通し、第１ボルト固定部５１の下面を下側の固定用ナット４６に当接させる。その後、ワッシャ４７、バネワッシャ４８および上側の固定用ナット４６を第１アンカーボルト４４に順に嵌め込み、上側の固定用ナット４６を締め込む。これにより、第１被取付部４２が第１被固定部４１に固定される。
【００６１】
図１３に示すように、このステップでは、第１長穴５５が延びる方向が第１支持具３１の配列方向（第２方向Ｄ２）と直交するように、第１被取付部４２を取り付ける向きを調整する。また複数の第１支持具３１間において、第１傾斜面５４の高さ（陸屋根の上面２からの距離）が同じになるように調整する。これにより、後述のステップにおいてモジュール係止具を第１傾斜面５４上に載置する際に、モジュール係止具を水平状態に保つことができる。例えば、陸屋根の上面２において僅かに傾斜がある場合などには、このようなレベル調整が必要となる。
【００６２】
次に、第２支持具３２を陸屋根の上面２上に固定する（第２固定ステップ）。このステップでは、まず、第１被固定部４１と同数の第２被固定部９１を準備し、これらを第１被固定部４１に対して第１方向Ｄ１に離れた位置に配置する。具体的には、図１３に示すように、一つの第２被固定部９１と一つの第１被固定部４１とが第１方向Ｄ１において直線状に並ぶように、複数の第２被固定部９１を第２方向Ｄ２に間隔を空けて直線状に並べる。そして、第１被固定部４１の場合と同様に、ビス４をＡＬＣパネル５まで到達するように打ち込むことにより、第２被固定部９１が陸屋根の上面２上に固定される。
【００６３】
続いて、第２被取付部９２を第２被固定部９１に取り付ける。この取付手順は、第１被取付部４２を第１被固定部４１に取り付けるときとほぼ同じである。図１０を参照して、まず、上側の固定用ナット９６、ワッシャ９７およびバネワッシャ９８を第２アンカーボルト９４から取り外す。そして、第２ボルト固定部１０１の第２ボルト穴１０１Ａに第２アンカーボルト９４を挿通し、第２ボルト固定部１０１の下面を下側の固定用ナット９６の上面に当接させる。その後、ワッシャ９７、バネワッシャ９８および上側の固定用ナット９６を第２アンカーボルト９４に順に嵌め込み、最後に上側の固定用ナット９６を締め込む。これにより、第２被取付部９２が第２被固定部９１に固定される。このような手順により、第２支持具３２が第１方向Ｄ１において第１支持具３１から離れた位置で陸屋根の上面２上に固定される。
【００６４】
図１３に示すように、このステップでは、第２長穴１０５が延びる方向が、第１長穴５５が延びる方向と同じになるように、第２被取付部９２を取り付ける向きを調整する。また上述のようにモジュール係止具の水平状態を保つため、複数の第２支持具３２間において、第２傾斜面１０２の高さ（陸屋根の上面２からの距離）が同じになるように調整する。また第１傾斜面５４と第２傾斜面１０２とが同一平面上に位置するように、第２支持具３２を固定する位置が決定される。
【００６５】
なお、本実施形態では、第１支持具３１を固定した後、第２支持具３２を固定する場合について説明したが、この順序に限定されない。すなわち、第２支持具３２を固定した後に第１支持具３１を固定してもよいし、第１支持具３１と第２支持具３２を交互に固定してもよい。
【００６６】
次に、一対のモジュール係止具（第１および第２モジュール係止具２１，２２）を、第１被取付部４２および第２被取付部９２のそれぞれに固定する（第３固定ステップ）。図１４に示すように、まず、第１モジュール係止具２１を準備し、これを複数の第１支持具３１に跨るように配置する。具体的には、図９を参照して、第１載置部６２に形成された挿通穴６２Ａが第１長穴５５と重なるように、第１載置部６２を第１傾斜面５４上に載置する。そして、第１締結部材６１を挿通穴６２Ａおよび第１長穴５５に挿通し、第１締結部材６１の先端に第１ナット６１Ａを取り付ける。そして、第１ナット６１Ａを締め込むことにより、第１モジュール係止具２１を第１被取付部４２（第１傾斜面５４）に固定する。
【００６７】
また第２モジュール係止具２２も、第１モジュール係止具２１と同様にして第２被取付部９２に固定される。図１４に示すように、まず、第２モジュール係止具２２を複数の第２支持具３２に跨るように配置する。続いて、図１０に示すように、第２締結部材６６を第２載置部６４の底部に形成された挿通穴および第２長穴１０５に挿通し、第２締結部材６６の先端に第２ナット６２Ａを取り付ける。そして、第２ナット６２Ａを締め込むことにより、第２モジュール係止具２２を第２被取付部９２（第２傾斜面１０２）に固定する。なお、第１モジュール係止具２１および第２モジュール係止具２２を固定する順序は、上記順序と逆であってもよい。
【００６８】
このステップでは、第２ナット６２Ａを本締めする一方、第１ナット６１Ａは仮締めの状態としておく。よって、この状態では、第１締結部材６１を第１長穴５５に沿ってスライドさせることにより、第１被取付部４２に対する第１モジュール係止具２１の位置を調整することができる。
【００６９】
なお、第１および第２被取付部４２，９２において、第１および第２締結部材６１，６６が挿通される穴が長穴ではない場合、次のような問題が生じ得る。すなわち、図１３に示すように第１および第２支持具３１，３２を固定する際に、施工誤差が発生し、これによって第１および第２支持具３１，３２の第１方向Ｄ１の位置がずれることがある。この場合、第１および第２締結部材６１，６６の挿通穴が長穴でなければ、このような誤差を吸収することができないため、第１および第２モジュール係止具２１，２２を第２方向Ｄ２に沿って直線状に配置することができず、結果として取付ユニット１が傾いてしまう。また第１および第２支持具３１，３２が三つ以上並べられる場合には、第１および第２モジュール係止具２１，２２を三つ以上の支持具に跨って配置すること自体が困難になる。これに対し、本実施形態のように、第１および第２締結部材６１，６６の挿通穴を長穴にすることにより、上記のようなアンカー施工の誤差による問題を解消することができる。
【００７０】
次に、一対のモジュール係止具によって太陽電池モジュール１０を両側から挟むように固定する（係止ステップ）。このステップでは、図１５および図１６に示すように、まず、太陽電池モジュール１０の第１縁部１１側を持ち上げた状態で、第２縁部１２に第２係止部６５を係止する。具体的には、第２係止部６５の先端に設けられた第２爪部６５Ａを、第２縁部１２に設けられた第２突設部１２Ａに引っ掛ける。
【００７１】
続いて、図１５および図１７に示すように、太陽電池モジュール１０の第１縁部１１側を下げ、第１爪部６３Ａを第１突設部１１Ａに引っ掛けることにより、第１縁部１１に第１係止部６３を係止する。上述の通り、第１ナット６１Ａは仮締め状態であるため、第１爪部６３Ａが第１突設部１１Ａに対して確実に引っ掛かるように、第１モジュール係止具２１の位置を調整してもよい。
【００７２】
その後、第１ナット６１Ａを本締めすることにより、第１被取付部４２に対する第１モジュール係止具２１の位置を完全に固定する。このようにして、太陽電池モジュール１０の第１および第２縁部１１，１２に対して第１および第２モジュール係止具２１，２２がそれぞれ係止され、太陽電池モジュール１０が第１および第２モジュール係止具２１，２２によって両側から挟まれた状態で固定される。
【００７３】
次に、第１支持具３１の付勢機構８０によって、第１締結部材６１を第１長穴５５が延びる方向において太陽電池モジュール１０に向かって付勢する（付勢ステップ）。このステップでは、図１８に示すように、螺子８１を螺子穴８２に挿通する。そして、螺子８１の先端により、第１モジュール係止具２１（第１載置部６２）の側面（第１傾斜面５４から垂直に立ち上がる面）を、太陽電池モジュール１０に向かって押さえ込む。つまり、螺子８１の先端によって、第１載置部６２の側面を第１傾斜面５４に沿って上側から下側に向かって押すことにより、第１締結部材６１を太陽電池モジュール１０に向かって付勢する。これにより、第１締結部材６１が第１長穴５５に沿って太陽電池モジュール１０から離れる方向に移動するのを規制することができる。したがって、第１モジュール係止具２１が第１締結部材６１とともに太陽電池モジュール１０から離れる方向に移動するのも規制されるため、第１係止部６３が第１縁部１１から外れることによって太陽電池モジュール１０が脱落するのを防止することができる。
【００７４】
ここで、上記の通り説明した本実施形態に係る支持具、太陽電池モジュールの取付ユニットおよび太陽電池モジュールの取付方法の特徴および作用効果について列記する。
【００７５】
本実施形態に係る支持具（第１支持具３１）は、勾配屋根の上面２Ａ（所定の第１面）に載置可能な第１載置部６２と、第１載置部６２上に設けられるとともに太陽電池モジュール１０の第１縁部１１に係止可能な第１係止部６３と、を有する第１モジュール係止具２１を、勾配屋根の上面２Ａの勾配と異なる勾配を有する陸屋根の上面２（所定の第２面）で支持するための支持具である。この第１支持具３１は、陸屋根の上面２上に固定される第１被固定部４１と、第１被固定部４１上に設けられるとともに第１モジュール係止具２１を取付可能な第１被取付部４２であって、陸屋根の上面２に対して傾斜するとともに第１載置部６２が載置される第１傾斜面５４を有する第１被取付部４２と、を備えている。第１傾斜面５４には、第１モジュール係止具２１を第１被取付部４２に固定するための第１締結部材６１の挿通を許容する長穴であって、第１傾斜面５４における上面２からの距離が異なる複数の位置の間での第１締結部材６１の移動を許容する第１長穴５５が形成されている。また第１支持具３１は、第１長穴５５が延びる方向の一方側に向かって第１締結部材６１を付勢する付勢機構８０をさらに備えている。
【００７６】
この第１支持具３１においては、第１被取付部４２の第１傾斜面５４に第１長穴５５が形成されており、この第１長穴５５に第１締結部材６１を挿通するとともに当該第１長穴５５において第１締結部材６１を移動させることができる。このため、第１被固定部４１を陸屋根の上面２上に固定する際に施工誤差が生じたとしても、第１長穴５５において第１締結部材６１を移動させることによって第１被取付部４２に対する第１モジュール係止具２１の取付位置を調整することができる。これにより、上記施工誤差を吸収することができる。
【００７７】
しかも、第１被取付部４２に対する第１モジュール係止具２１の取付位置を固定した後、付勢機構８０によって第１締結部材６１を第１長穴５５が延びる方向の一方側（太陽電池モジュール１０側）に向かって付勢することができる。これにより、太陽電池モジュール１０に積雪荷重や風荷重などが加わっても、第１締結部材６１が第１長穴５５に沿って移動し、それによって第１モジュール係止具２１が太陽電池モジュール１０から離れる方向に移動するのを規制することができる。したがって、第１モジュール係止具２１の第１係止部６３が太陽電池モジュール１０の第１縁部１１から外れて太陽電池モジュール１０が脱落するのを防止することができる。
【００７８】
この第１支持具３１において、付勢機構８０は、第１傾斜面５４に沿って上側から下側に向かって第１締結部材６１を付勢するように構成されている。これにより、第１モジュール係止具２１が第１傾斜面５４に沿って上側に移動するのを、重力を利用して効果的に規制することができる。
【００７９】
この第１支持具３１において、付勢機構８０は、第１被取付部４２に対して取付可能な螺子８１と、第１被取付部４２に形成されるとともに螺子８１を挿通可能な螺子穴８２と、を含む。これにより、螺子８１を螺子穴８２に挿通するだけで第１締結部材６１を簡単に付勢することができる。
【００８０】
この第１支持具３１において、第１被取付部４２は、第１傾斜面５４を含む第１被載置部５６と、第１傾斜面５４に取り付けられる第１モジュール係止具２１に対向するように第１被載置部５６から立ち上がる上側立設部５７と、を有している。螺子穴８２は、上側立設部５７に設けられている。これにより、第１モジュール係止具２１が第１傾斜面５４に取り付けられた状態で螺子８１を螺子穴８２に挿通することにより、当該螺子８１によって第１モジュール係止具２１を押すことができる。このため、螺子８１によって第１締結部材６１を直接押す場合に比べて、第１締結部材６１を付勢するための施工がより簡単になる。また螺子８１の種類を選択することにより、螺子８１を螺子穴８２に挿通する際に、当該螺子穴８２の穴内面に螺子溝を切りながら施工することも可能である。
【００８１】
この第１支持具３１において、第１被取付部４２は、第１傾斜面５４の高さを調整可能となるように、第１被固定部４１に取り付けられている。これにより、第１モジュール係止具２１を第１被取付部４２に取り付けたときの高さ位置（陸屋根の上面２からの距離）を調整することが可能になる。
【００８２】
本実施形態に係る太陽電池モジュールの取付ユニット１は、上記第１支持具３１と、第１被固定部４１から離れた位置で陸屋根の上面２上に固定される第２被固定部９１と、第２被固定部９１上に設けられるとともに第２モジュール係止具２２を取付可能な第２被取付部９２であって、陸屋根の上面２に対して傾斜するとともに第２載置部６４が載置される第２傾斜面１０２を有する第２被取付部９２と、を有する第２支持具３２と、第１被取付部４２および第２被取付部９２にそれぞれ取り付けられるとともに、太陽電池モジュール１０を両側から挟む一対のモジュール係止具（第１および第２モジュール係止具２１，２２）と、一対のモジュール係止具を第１被取付部４２および第２被取付部９２にそれぞれ固定するための一対の締結部材（第１および第２締結部材６１，６６）と、一対のモジュール係止具がそれぞれ係止される一対の縁部（第１および第２縁部１１，１２）を有する太陽電池モジュール１０と、を備えている。第１支持具３１の付勢機構８０は、一対の締結部材のうち第１傾斜面５４に形成された第１長穴５５に挿通された第１締結部材６１を、第１長穴５５が延びる方向において太陽電池モジュール１０に向かって付勢する。
【００８３】
この太陽電池モジュールの取付ユニット１は、上記第１支持具３１を備えており、この第１支持具３１の付勢機構８０によって、第１締結部材６１を第１長穴５５が延びる方向における太陽電池モジュール１０側に向かって付勢することができる。これにより、太陽電池モジュール１０に積雪荷重や風荷重などが加わっても、第１締結部材６１が第１長穴５５に沿って移動し、それによって第１モジュール係止具２１が太陽電池モジュール１０から離れる方向に移動するのを規制することができる。したがって、第１モジュール係止具２１の第１係止部６３が太陽電池モジュール１０の第１縁部１１から外れて太陽電池モジュール１０が脱落するのを防止することができる。
【００８４】
本実施形態に係る太陽電池モジュールの取付方法は、上記本実施形態に係る太陽電池モジュールの取付ユニット１を組み立てる方法である。この方法は、第１支持具３１を陸屋根の上面２上に固定する第１固定ステップと、第２支持具３２を第１支持具３１から離れた位置で陸屋根の上面２上に固定する第２固定ステップと、一対のモジュール係止具２１，２２を一対の締結部材６１，６２によって第１被取付部４２および第２被取付部９２のそれぞれに固定する第３固定ステップと、太陽電池モジュール１０の一対の縁部１１，１２に一対のモジュール係止具２１，２２をそれぞれ係止することにより、一対のモジュール係止具２１，２２によって太陽電池モジュール１０を両側から挟むように固定する係止ステップと、第１支持具３１の付勢機構８０によって、第１傾斜面５４に形成された第１長穴５５に挿通された第１締結部材６１を、第１長穴５５が延びる方向において太陽電池モジュール１０に向かって付勢する付勢ステップと、を備えている。
【００８５】
この方法によれば、付勢機構８０によって第１締結部材６１を第１長穴５５が延びる方向において太陽電池モジュール１０に向かって付勢することができる。これにより、太陽電池モジュール１０に積雪荷重や風荷重などが加わった場合でも、第１締結部材６１が第１長穴５５に沿って移動し、それによって第１モジュール係止具２１が太陽電池モジュール１０から離れる方向に移動するのを規制することができる。したがって、第１モジュール係止具２１が太陽電池モジュール１０の第１縁部１１から外れて太陽電池モジュール１０が脱落するのを防止することができる。
【００８６】
（実施形態２）
次に、本発明の実施形態２に係る支持具、太陽電池モジュールの取付ユニットおよび太陽電池モジュールの取付方法について、図１９を参照して説明する。実施形態２は、基本的に上記実施形態１と同様であるが、付勢機構の構成において異なっている。以下、上記実施形態１と異なる点についてのみ説明する。
【００８７】
実施形態２に係る第１支持具３１Ａは、付勢機構８０として、例えばブロック状のゴム体８３（弾性体）を備えている。図１９に示すように、第１モジュール係止具２１が第１傾斜面５４に固定された状態において、第１載置部６２の外側面６２Ｂと上側立設部５７の内面５７Ａとの間には幅Ｗ３を有する隙間が形成されている。ゴム体８３は、この幅Ｗ３よりも大きい幅を有しており、押し縮められた状態で当該隙間に配置されている。このため、ゴム体８３の復元力が第１載置部６２の外側面６２Ｂに加わり、これによって第１締結部材６１を付勢することができる。またゴム体８３に代えて、バネ体を付勢機構８０として用いてもよい。
【００８８】
実施形態２に係る太陽電池モジュールの取付方法では、付勢ステップにおいて、螺子８１を取り付ける代わりに、ゴム体８３を押し縮めて第１載置部６２の外側面６２Ｂと上側立設部５７の内面５７Ａとの間の隙間に配置する。これにより、螺子８１を用いた場合と同様に第１締結部材６１を太陽電池モジュール１０に向かって付勢することができるため、太陽電池モジュール１０の脱落を防止することができる。
【００８９】
（その他実施形態）
最後に、本発明のその他実施形態について説明する。
【００９０】
上記実施形態１では、第２面の一例として建物の陸屋根の上面２について説明したが、これに限定されない。例えば、第２面がベランダ屋根の上面であってもよいし、ガレージ屋根の上面などであってもよい。
【００９１】
上記実施形態１では、締結部材の一例としてボルトについて説明したが、これに限定されない。例えば、第１および第２締結部材６１，６６がリベットであってもよい。また第１および第２締結部材６１，６６に締め付けられるのは第１および第２ナット６１Ａ，６２Ａに限定されず、例えば第１および第２締結部材６１，６６の先端と螺合する雌螺子部が形成されたブロック体が用いられてもよい。
【００９２】
今回開示された実施形態は、全ての点で例示であって、制限的なものではないと解されるべきである。本発明の範囲は、上記した説明ではなくて特許請求の範囲により示され、特許請求の範囲と均等の意味および範囲内での全ての変更が含まれることが意図される。
【符号の説明】
【００９３】
１  太陽電池モジュールの取付ユニット
２  陸屋根の上面（第２面）
２Ａ  勾配屋根の上面（第１面）
１０  太陽電池モジュール
１１  第１縁部
１２  第２縁部
２１  第１モジュール係止具
２２  第２モジュール係止具
３１，３１Ａ  第１支持具
３２  第２支持具
４１  第１被固定部
４２  第１被取付部
５４  第１傾斜面
５５  第１長穴
５６  第１被載置部
５７  上側立設部
６１  第１締結部材
６２  第１載置部
６３  第１係止部
６４  第２載置部
６５  第２係止部
６６  第２締結部材
８０  付勢機構
８１  螺子
８２  螺子穴
８３  ゴム体
９１  第２被固定部
９２  第２被取付部
１０２  第２傾斜面
【図１】
2019085702.tif 000003
【図２】
2019085702.tif 000004
【図３】
2019085702.tif 000005
【図４】
2019085702.tif 000006
【図５】
2019085702.tif 000007
【図６】
2019085702.tif 000008
【図７】
2019085702.tif 000009
【図８】
2019085702.tif 000010
【図９】
2019085702.tif 000011
【図１０】
2019085702.tif 000012
【図１１】
2019085702.tif 000013
【図１２】
2019085702.tif 000014
【図１３】
2019085702.tif 000015
【図１４】
2019085702.tif 000016
【図１５】
2019085702.tif 000017
【図１６】
2019085702.tif 000018
【図１７】
2019085702.tif 000019
【図１８】
2019085702.tif 000020
【図１９】
2019085702.tif 000021